(57)【要約】【課題】手乾燥装置において、消毒液４Ａが本体より飛び出すことを防ぐことを目的としている。【解決手段】上面に開口を備えた手挿入空間２Ａを有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液４Ａを噴霧する噴霧発生装置と、第１の検知手段で手を検知したときに送風手段と噴霧発生装置を所定の手順で動作させるこができる。【選択図】図１
2011083354.tif 000002
【特許請求の範囲】
【請求項１】
上面に開口を備えた手挿入空間を有した本体と、この手挿入空間の上側に挿入された手に風を当てる第１の吹き出し部と、前記手挿入空間に挿入された手を検知する第１の検知手段と、前記第１の吹き出し部に風を送る送風手段と、前記第１の吹き出し部の下方に手を消毒する消毒液を噴霧する噴霧発生装置と、前記第１の検知手段で手を検知したときに前記送風手段と噴霧発生装置を所定の手順で動作させる制御手段とを備えた手乾燥装置。
【請求項２】
前記制御手段は、前記第１の検知手段によって手を検知した後、手を検知しなくなり機器が停止する場合に、前記噴霧発生装置から噴霧される消毒液が停止した後、前記送風手段から送り出される風を停止させる請求項１記載の手乾燥装置。
【請求項３】
前記噴霧発生装置は、前記噴霧発生装置を動作させる信号入力手段を備え、前記信号入力手段の電源の入り切りにより、消毒液の噴霧動作させる請求項１記載の手乾燥装置。
【請求項４】
上面に開口を備えた手挿入空間を有した本体と、この手挿入空間の上側に挿入された手に風を当てる第１の吹き出し部と、前記手挿入空間に挿入された手を検知する第１の検知手段と、前記第１の吹き出し部に風を送る送風手段と、前記第１の吹き出し部の下方に手を消毒する消毒液を噴霧する噴霧発生装置と、この噴霧発生装置の下方には手を検知する第２の検知手段とを備え、前記第１の検知手段と前記第２の検知手段が検知した信号に応じて前記送風手段と噴霧発生装置を所定の手順で動作させる制御手段を備えた手乾燥装置。
【請求項５】
前記第１の検知手段で手を検知したときに前記送風手段を動作させ、前記第２の検知手段で手を検知し、前記噴霧発生装置を動作させている場合に、前記第２の検知手段で手を検知しなくなると、前記噴霧発生装置を停止し、前記第１の検知手段で手を検知しなくなると、送風手段から送りだされる風を停止させる請求項４に記載の手乾燥装置。
【請求項６】
上面に開口を備えた手挿入空間を有した本体と、この手挿入空間の上側に挿入された手に風を当てる第１の吹き出し部と、前記手挿入空間に挿入された手を検知する第１の検知手段と、前記第１の吹き出し部に風を送る送風手段と、前記第１の吹き出し部の下方に手を消毒する消毒液を噴霧する噴霧発生装置と、前記噴霧発生装置の下方に前記送風手段から手に風をあてる第２の吹き出し部とを備え、第１の検知手段が検知した信号をもとに前記送風手段と噴霧発生装置を所定の手順で動作させる制御手段を備えた手乾燥装置。
【請求項７】
前記制御手段は、前記第１の検知手段によって手を検知すると、前記第１の吹き出し部および第２の吹き出し部から手に風を送り出し、前記第２の吹き出し部から手に風を送り出すのを停止した後で、前記噴霧発生装置を一定時間動作させる請求項６記載の手乾燥装置。
【請求項８】
前記制御手段は、前記噴霧発生装置を一定時間動作させた後に、第２の吹き出し部から手に当てる風を送り出させる請求項７記載の手乾燥装置。
【請求項９】
前記制御手段は、前記噴霧発生装置が動作している場合に、前記第１の検知手段によって手を検知しなくなると、噴霧発生装置が停止した後で、送風手段から送り出される風を停止させる請求項６〜８のいずれか一つに記載の手乾燥装置。
【請求項１０】
上面に開口を備えた手挿入空間を有した本体と、この手挿入空間の上側に挿入された手に風を当てる第１の吹き出し部と、前記手挿入空間に挿入された手を検知する第１の検知手段と、前記第１の吹き出し部に風を送る送風手段と、前記第１の吹き出し部の下方に手を消毒する消毒液を噴霧する噴霧発生装置と、前記噴霧発生装置の下方に前記送風手段から手に風をあてる第２の吹き出し部と、前記噴霧発生装置の下方に手を検知する第３の検知手段と、前記第３の検知手段によって、手を検知したことを表示する表示部を備え、第１の検知手段と第３の検知手段が検知した信号をもとに前記送風手段と噴霧発生装置を所定の手順で動作させる制御手段を備えた手乾燥装置。
【請求項１１】
前記制御手段は、前記送風手段の風量を調整する風量制御手段を備え、前記第２の吹き出し部から風が送り出される前に、前記第３の検知手段によって、手が検知されなくなると、前記第１の吹き出し部から送り出される風を強くさせる請求項１０記載の手乾燥装置。
【請求項１２】
前記噴霧発生装置において、市販の消毒液を取り付けることを特徴とする請求項１〜１１に記載の手乾燥装置。
【発明の詳細な説明】
【技術分野】
【０００１】
本発明は、乾燥室に挿入された手を検知して乾燥させる手乾燥装置に関する。
【背景技術】
【０００２】
従来、この種の手乾燥装置では、空気流の噴射により迅速で衛生的な手の乾燥処理とともに手に対する消毒や香り付けによる手の衛生環境の改善したものが発明されている（例えば特許文献１参照）。
【０００３】
以下、この手乾燥装置について図７を参照にしながら説明する。
【０００４】
図７において、手乾燥装置は、正面上部に手挿入部１０１を有する外郭をなす筐体１０２内に高圧空気発生装置１０３を組込み、この高圧空気発生装置１０３により生成される高圧空気を手挿入部１０１の互いに対向した２面にそれぞれ配置されたノズル１０４、１０５から高速空気流を噴出させる構成であり、さらに消毒剤放出装置を備えたことを特徴としている。この消毒剤放出装置は、筐体１０２内に設けられ消毒用アルコールを収納する密閉タイプの収納タンク１０６と、この収納タンク１０６内の消毒用アルコールを手挿入部１０１において霧状にして吹き出させる霧化器１０７により構成されている。小型電動ポンプまたは手動ポンプと噴霧口１０８により構成された霧化器１０７の噴霧口１０８は手の外表部への消毒用アルコールを吹き付けることができる。
【０００５】
消毒用アルコールの噴霧は、手の乾燥処理が完了し、高圧空気発生装置１０３が停止した後に短い時間だけ行なわれる。これにより、手の乾燥処理とともに手の消毒が一度に完了し、例えば食品関係の取扱いに従事する従業者等の衛生管理に役立つものとなる。
【先行技術文献】
【特許文献】
【０００６】
【特許文献１】特開平７−１３６０７９号公報
【発明の概要】
【発明が解決しようとする課題】
【０００７】
このような従来の手乾燥装置では、乾燥処理が完了した後に、消毒用アルコールが噴霧されるので、手を挿入した状態でこの消毒用アルコールが噴霧されると、手乾燥装置本体から飛び出し、使用者の目に入る危険があるという課題があった。
【０００８】
また、使用者が消毒の必要がないと判断した場合であっても、消毒用アルコールが噴霧されてしまう課題があった。
【０００９】
また、乾燥処理が完了した後に、消毒用アルコールが噴霧させるので、乾燥処理が十分でないまま消毒用アルコールが噴霧されたり、また消毒用アルコールが噴霧される前に使用者が手の挿入をやめてしまい、手の消毒ができないという課題があった。
【００１０】
本発明は、上記従来の課題を解決するのもで、消毒用アルコールが本体より飛び出すことがなく、使用者が任意に消毒の有無を操作でき、手の消毒を十分に行なうことができる手乾燥装置を提供できること目的としている。
【課題を解決するための手段】
【００１１】
本発明の手乾燥装置は上記目的を達成するために、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、第１の検知手段で手を検知したときに送風手段と噴霧発生装置を所定の手順で動作させる制御手段を設ける構成としたものである。
【００１２】
この手段により、消毒液が本体より飛び出すことをなくすことができる。
【００１３】
また、他の手段は、制御手段によって、第１の検知手段によって手を検知した後、手を検知しなくなり機器が停止する場合に、噴霧発生装置から噴霧される消毒液が停止した後、送風手段から送り出される風を停止させる構成としたものである。
【００１４】
この手段により、送風手段から送り出される風が停止する前に、消毒液の噴霧が停止するので、消毒液が本体より飛び出すことをなくすことができる。
【００１５】
また、他の手段は、噴霧発生装置を動作させる信号入力手段を備え、信号入力手段の電源の入り切りにより、消毒液４Ａの噴霧動作させる構成としたものである。
【００１６】
この手段により、使用者が手の消毒が必要でないと判断した場合、消毒液の噴霧を停止させることができる。
【００１７】
また、他の手段は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、この噴霧発生装置の下方には手を検知する第２の検知手段とを備え、第１の検知手段と第２の検知手段が検知した信号に応じて送風手段と噴霧発生装置を所定の手順で動作させる制御手段を設ける構成としたものである。
【００１８】
この手段により、十分に乾燥した後で、使用者が手の消毒を必要と判断した場合は、手の挿入をさらに行うことで、手の消毒を行うことができ、また使用者が手の消毒が必要でないと判断した場合は、消毒液を噴霧しないでおくことができる。
【００１９】
また、他の手段は、第１の検知手段で手を検知したときに送風手段を動作させ、第２の検知手段で手を検知し、噴霧発生装置を動作させている場合に、第２の検知手段で手を検知しなくなると、噴霧発生装置を停止し、第１の検知手段で手を検知しなくなると、送風手段から送りだされる風を停止させる構成としたものである。
【００２０】
この手段により、送風手段から送り出される風が停止する前に、消毒液の噴霧が停止するので、消毒液が本体より飛び出すことをなくすことができる。
【００２１】
また、他の手段は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、噴霧発生装置の下方に送風手段から手に風をあてる第２の吹き出し部とを備え、第１の検知手段が検知した信号をもとに送風手段と噴霧発生装置を所定の手順で動作させる制御手段を備えた手乾燥装置。
【００２２】
この手段により、消毒液が本体より飛び出すことをなくすことができ、また本体に挿入した手を動かすことなく、手の消毒を行うことができる。
【００２３】
また、他の手段は、制御手段によって、第１の検知手段によって手を検知すると、第１の吹き出し部および第２の吹き出し部から手に風を送り出し、第２の吹き出し部から手に風を送り出すのを停止した後で、噴霧発生装置を一定時間動作させる構成としたものである。
【００２４】
この手段により、消毒液が本体より飛び出すことをなくすことができ、また本体に挿入した手を動かすことなく、手の消毒をすることができる。
【００２５】
また、他の手段は、制御手段によって、噴霧発生装置を一定時間動作させた後に、第２の吹き出し部から手に当てる風を送り出させる構成としたものである。
【００２６】
この手段により、消毒液が本体より飛び出すことをなくすことができ、また本体に挿入した手を動かすことなく、消毒後の乾燥をすることができる。
【００２７】
また、他の手段は、制御手段によって、噴霧発生装置が動作している場合に、第１の検知手段によって手を検知しなくなると、噴霧発生装置が停止した後で、送風手段から送り出される風を停止させる構成としたものである。
【００２８】
この手段により、送風手段から送り出される風が停止する前に、消毒液の噴霧が停止するので、消毒液が本体より飛び出すことをなくすことができる。
【００２９】
また、他の手段は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、噴霧発生装置の下方に送風手段から手に風をあてる第２の吹き出し部と、噴霧発生装置の下方に手を検知する第３の検知手段と、第３の検知手段によって、手を検知したことを表示する表示部を備え、第１の検知手段と第３の検知手段が検知した信号をもとに送風手段と噴霧発生装置を所定の手順で動作させる制御手段を設ける構成としたものである。
【００３０】
この手段により、使用者が手の消毒を必要と判断した場合は、表示部を確認することによって、確実に手の消毒を行うことができ、また使用者が手の消毒が必要でないと判断した場合は、表示部を確認することによって、消毒液を噴霧しないでおくことができる。
【００３１】
また、他の手段は、制御手段は、送風手段の風量を調整する風量制御手段を備え、第２の吹き出し部から風が送り出される前に、第３の検知手段によって、手が検知されなくなると、第１の吹き出し部から送り出される風を強くさせる構成としたものである。
【００３２】
この手段により、消毒後の乾燥を十分に行うことができる。
【００３３】
また、他の手段は、噴霧発生装置において、市販の消毒液を取り付けることができる構成としたものである。
【００３４】
この手段により、容易に消毒液の交換ができ、使用効率を上げることができる。
【発明の効果】
【００３５】
本発明によれば、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、第１の検知手段で手を検知したときに送風手段と噴霧発生装置を所定の手順で動作させる制御手段を設けた構成としたものであり、送風手段と噴霧発生装置を所定の手順で動作させて、消毒液を本体から飛び出すことをなくすことができるという効果を奏する。
【００３６】
また、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、この噴霧発生装置の下方には手を検知する第２の検知手段とを備え、第１の検知手段と第２の検知手段が検知した信号に応じて送風手段と噴霧発生装置を所定の手順で動作させる制御手段を設けた構成としたものであり、十分に乾燥した後で、使用者が手の消毒を必要と判断した場合は、手の挿入をさらに行うことで、手の消毒を行うことができ、また使用者が手の消毒が必要でないと判断した場合は、消毒液を噴霧しないでおくことができ、第１の吹き出し部の下方に配置した噴霧発生装置から噴霧する消毒液４Ａは、第１の吹き出し部から吹き出す風によりさえぎられて、消毒液が本体より飛び出すことをなくすことができ、また手の消毒の有無を使用者自身で決めることができるという効果を奏する。
【００３７】
また、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、噴霧発生装置の下方に前記送風手段から手に風をあてる第２の吹き出し部とを備え、第１の検知手段が検知した信号をもとに送風手段と噴霧発生装置を所定の手順で動作させる制御手段を設けた構成としたものであり、第１の吹き出し部の下方に配置した噴霧発生装置から噴霧する消毒液は、第１の吹き出し部から吹き出す風によりさえぎられることとなり、消毒液が本体より飛び出すことをなくすことができ、また本体に挿入した手を動かすことなく、手の消毒を行うことができるという効果を奏する。
【図面の簡単な説明】
【００３８】
【図１】本発明の実施の形態１の手検知乾燥装置の構成を示す概略図
【図２】本発明の実施の形態２の手検知乾燥装置の構成を示す概略図
【図３】本発明の実施の形態３の手検知乾燥装置の構成を示す概略図
【図４】本発明の実施の形態４の手検知乾燥装置の構成を示す概略図
【図５】本発明の実施の形態５の手検知乾燥装置の構成を示す概略図
【図６】本発明の実施の形態６の手検知乾燥装置の構成を示す概略図
【図７】従来の手検知乾燥装置の構成を示す概略図
【発明を実施するための形態】
【００３９】
本発明の請求項１の発明は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、第１の検知手段で手を検知したときに送風手段と噴霧発生装置を所定の手順で動作させる制御手段を設けた構成としたものであり、送風手段と噴霧発生装置を所定の手順で動作させて、消毒液を本体から飛び出すことをなくすことができるという効果を奏する。
【００４０】
また本発明の請求項２の発明は、制御手段によって、第１の検知手段によって手を検知した後、手を検知しなくなり機器が停止する場合に、噴霧発生装置から噴霧される消毒液が停止した後、送風手段から送り出される風を停止させる構成としたものであり、送風手段から送り出される風が停止する前に、消毒液の噴霧が停止するので、第１の吹き出し部の下方に配置した噴霧発生装置から噴霧する消毒液は、第１の吹き出し部から吹き出す風によりさえぎられて、消毒液が本体より飛び出すことをなくすことができるという効果を奏する。
【００４１】
また本発明の請求項３の発明は、噴霧発生装置において、噴霧発生装置を動作させる信号入力手段を備え、前記信号入力手段の電源の入り切りにより、消毒液の噴霧動作させる構成．としたものであり、使用者が手の消毒が必要でないと判断した場合、消毒液の噴霧を停止させて、手の消毒をしないでおくことができるという効果を奏する。
【００４２】
また本発明の請求項４の発明は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、この噴霧発生装置の下方には手を検知する第２の検知手段とを備え、第１の検知手段と第２の検知手段が検知した信号に応じて送風手段と噴霧発生装置を所定の手順で動作させる制御手段を設けた構成としたものであり、十分に乾燥した後で、使用者が手の消毒を必要と判断した場合は、手の挿入をさらに行うことで、手の消毒を行うことができ、また使用者が手の消毒が必要でないと判断した場合は、消毒液を噴霧しないでおくことができ、第１の吹き出し部の下方に配置した噴霧発生装置から噴霧する消毒液は、第１の吹き出し部から吹き出す風によりさえぎられて、消毒液が本体より飛び出すことをなくすことができ、また手の消毒の有無を使用者自身で決めることができるという効果を奏する。
【００４３】
本発明の請求項５の発明は、第１の検知手段で手を検知したときに送風手段を動作させ、第２の検知手段で手を検知し、噴霧発生装置を動作させている場合に、第２の検知手段で手を検知しなくなると、噴霧発生装置を停止し、第１の検知手段で手を検知しなくなると、送風手段から送りだされる風を停止させる構成としたものであり、送風手段から送り出される風が停止する前に、消毒液の噴霧が停止するので、消毒液を噴霧しているときには、送風手段が送り出す風によりさえぎることで、消毒液が本体より飛び出すことをなくすことができるという効果を奏する。
【００４４】
また本発明の請求項６の発明は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、噴霧発生装置の下方に前記送風手段から手に風をあてる第２の吹き出し部とを備え、第１の検知手段が検知した信号をもとに送風手段と噴霧発生装置を所定の手順で動作させる制御手段を設けた構成としたものであり、第１の吹き出し部の下方に配置した噴霧発生装置から噴霧する消毒液は、第１の吹き出し部から吹き出す風によりさえぎられることとなり、消毒液が本体より飛び出すことをなくすことができ、また本体に挿入した手を動かすことなく、手の消毒を行うことができるという効果を奏する。
【００４５】
また本発明の請求項７の発明は、制御手段は、第１の検知手段によって手を検知すると、第１の吹き出し部および第２の吹き出し部から手に風を送り出し、第２の吹き出し部から手に風を送り出すのを停止した後で、噴霧発生装置を一定時間動作させる構成としたものであり、第１の吹き出し部の下方に配置した噴霧発生装置から噴霧する消毒液は、第１の吹き出し部から吹き出す出す風によりさえぎられることとなり、消毒液が本体より飛び出すことをなくすことができ、また本体に挿入した手を動かすことなく、手の消毒をすることができるという効果を奏する。
【００４６】
また本発明の請求項８の発明は、制御手段において、噴霧発生装置を一定時間動作させた後に、第２の吹き出し部から手に当てる風を送り出させる構成としたものであり、消毒液が本体より飛び出すことをなくすことができ、また本体に挿入した手を動かすことなく、第２の吹き出し部から吹き出す風により、消毒後の乾燥をすることができるという効果を奏する。
【００４７】
また本発明の請求項９の発明は、制御手段において、噴霧発生装置が動作している場合に、第１の検知手段によって手を検知しなくなると、噴霧発生装置が停止した後で、送風手段から送り出される風を停止させる構成としたものであり、送風手段から送り出される風が停止する前に、消毒液の噴霧が停止するので、消毒液は送風手段からの送りさす風によりさえぎられ、消毒液が本体より飛び出すことをなくすことができるという効果を奏する。
【００４８】
また本発明の請求項１０の発明は、上面に開口を備えた手挿入空間を有した本体と、この手挿入空間の上側に挿入された手に風を当てる第１の吹き出し部と、手挿入空間に挿入された手を検知する第１の検知手段と、第１の吹き出し部に風を送る送風手段と、第１の吹き出し部の下方に手を消毒する消毒液を噴霧する噴霧発生装置と、噴霧発生装置の下方に前記送風手段から手に風をあてる第２の吹き出し部と、噴霧発生装置の下方に手を検知する第３の検知手段と、前記第３の検知手段によって、手を検知したことを表示する表示部を備え、第１の検知手段と第３の検知手段が検知した信号をもとに前記送風手段と噴霧発生装置を所定の手順で動作させる制御手段を設けた構成としたものであり、使用者が手の消毒を必要と判断した場合は、表示部を確認することによって、確実に手の消毒を行うことができ、また使用者が手の消毒が必要でないと判断した場合は、表示部を確認することによって、消毒液を噴霧しないでおくことができので、手の消毒の有無を使用者自身で決めることができるという効果を奏する。
【００４９】
また本発明の請求項１１の発明は、制御手段は、送風手段の風量を調整する風量制御手段を備え、第２の吹き出し部から風が送り出される前に、第３の検知手段によって、手が検知されなくなると、第１の吹き出し部から送り出される風を強くさせる構成としたものであり、第１の吹き出し部より送り出される風が強くなることとなり、消毒後の乾燥を十分に行うことができるという効果を奏する。
【００５０】
また本発明の請求項１２の発明は、前記噴霧発生装置において、市販の消毒液を取り付ける構成としたものであり、容易に消毒液の交換ができ、使用効率を上げることができるという効果を奏する。
【００５１】
以下、本発明の実施の形態について図面を参照しながら説明する。
【００５２】
（実施の形態１）
図１に示すように、上面に開口を備えた手挿入空間を有した本体１内に、この手挿入空間の上側に挿入された手に風を当てる第１の吹き出し部２、手挿入空間２Ａに挿入された手を検知する第１の検知手段３、第１の吹き出し部２に風を送る送風手段４、第１の吹き出し部２の下方に手を消毒する消毒液４Ａを噴霧する噴霧発生装置５、第１の検知手段３で手を検知したときに送風手段４と噴霧発生装置５を所定の手順で動作させる制御手段６を構成する。
【００５３】
そして、第１の検知手段３は、例えば、手の挿入を検知するための検知信号発生手段としての赤外線ＬＥＤ、検知信号発生手段を検知するための検知信号受信信号としての受光ＩＣ、赤外線ＬＥＤから出力する信号を制御するための発信信号制御手段として信号発信回路で構成されている（図示せず）。第１の検知手段３は、挿入された手を検知する手段であれば、他の方法でも構わない。
【００５４】
また、第１の吹き出し部２は吹き出し部として開口部を絞って風速をあげるノズルなどを使用する。
【００５５】
また、送風手段４は、ファンモータとファン駆動回路で構成されている。
【００５６】
また、噴霧発生装置５は、消毒液４Ａを貯蔵する消毒液貯蔵室と、消毒液貯蔵室内に一端が入っている消毒液４Ａを輸送する輸送パイプと、消毒液４Ａを手挿入空間２Ａに噴霧するポンプとを配置した構成であり、消毒液４Ａ輸送パイプのもう一端が手挿入空間に開口している消毒液噴霧口５Ａとなっている。この噴霧発生装置５は、消毒液４Ａを噴霧供給する方式であれば、他の方式のものを用いても構わない。
【００５７】
以上のように構成した手乾燥装置について、図１を用いて、その動作を説明する。使用者が本体１の手挿入空間２Ａに手を挿入すると、第１の検知手段３である赤外線ＬＥＤから出ている信号が手によって塞がれて受光ＩＣに届かなくなると、制御手段６が手が侵入したと認識し、送風手段４であるファン駆動回路へ動作信号を送り、ファンモータが動作することによって、第１の吹き出し部２であるノズルから風が吹出し、手を乾燥する。
【００５８】
また、制御手段６が手が進入したと認識すると、噴霧発生装置５であるポンプに動作信号が送られ、ポンプが動作する。ポンプが輸送した消毒液４Ａは、輸送パイプを通って、消毒液噴霧口５Ａから、手挿入空間２Ａ内に挿入された手に吹き付けられる。
【００５９】
ここで、制御手段６によって、噴霧発生装置５は、送風手段４が動作した後に、動作するように制御している。従って、消毒液４Ａが単独で噴霧されることがない。また、第１の吹き出し部２から吹き出される風により、第１の吹き出し部２の下方に設けられている噴霧発生装置５から噴霧される消毒液４Ａは、この第１の吹き出し部２から吹き出す風によりさえぎられて、本体から飛び出すことができなくなる。
【００６０】
以上のように、制御手段６により、第１の検知手段３で手を検知したときに送風手段４と噴霧発生装置５を所定の手順で動作させることで、消毒液４Ａを本体から飛び出すことをなくすことができる。
【００６１】
次に、停止時の動作について説明する。本体１の手挿入空間２Ａに挿入した手を検知し、送風手段４、噴霧発生装置５が動作している状態で、本体１の手挿入空間２Ａから手が引き出され、第１の検知手段３により、手の挿入が検知されなくなると、制御手段６は手が挿入されていないことを認識する。この場合、まず噴霧発生装置５を停止することにより、噴霧発生装置５から本体１の手挿入空間２Ａに噴霧されなくなる。続いて、噴霧発生装置５が停止した後で、送風手段４を停止させることにより、第１の吹き出し部２から吹き出される風を停止させる。以上のように、制御手段６は所定の手順のよって、送風手段４にから送り出される風を停止させる前に、噴霧発生装置５における消毒液４Ａの噴霧を停止させるので、消毒液４Ａが本体より飛び出すことをなくすことができる。
【００６２】
（実施の形態２）
次に、本発明の実施の形態２について図面を参照しながら説明する。なお、実施の形態１と同一のものは同一番号を付し、その詳細な説明を省略する。
【００６３】
図２に示すように、本体１の上面に、噴霧発生装置５の動作を決定する信号入力手段７を設けている。この信号入力手段７は、ＯＮ、ＯＦＦを切り替えるスイッチなどで構成されている。
【００６４】
上記構成において、信号入力手段７をＯＮしている場合は、ＯＮ信号が制御手段６に送られる。このとき、本体１の手挿入空間２Ａに手を挿入すると、実施の形態１で示したように、風および消毒液４Ａが手挿入空間２Ａに挿入された手に吹き出すように制御される。また、信号入力手段７をＯＦＦしている場合は、ＯＦＦ信号が制御手段６に送られる。このときは、本体１の手挿入空間２Ａに手を挿入すると、第１の検知手段３により制御手段６が手の挿入を検知するが、信号入力手段７よりＯＦＦ信号が入力されているので、制御手段６は、送風手段４のみを動作させる。すなわち、第１の吹き出し部２より風のみが吹き出すことになる。
【００６５】
従って、使用者が手の消毒が必要でないと判断した場合、信号入力手段７をＯＦＦすることで、消毒液４Ａの噴霧を停止させることができる。
【００６６】
（実施の形態３）
次に、本発明の実施の形態３について図面を参照しながら説明する。なお、実施の形態１および２と同一のものは同一番号を付し、その詳細な説明を省略する。
【００６７】
図３に示すように、噴霧発生装置５の消毒液噴霧口５Ａの下方に、手を検知する第２の検知手段８を設けている。第２の検知手段８は、第１の検知手段３と同じように、例えば、手の挿入を検知するための検知信号発生手段としての赤外線ＬＥＤ、検知信号発生手段を検知するための検知信号受信信号としての受光ＩＣ、赤外線ＬＥＤから出力する信号を制御するための発信信号制御手段として信号発信回路で構成されている（図示せず）。
【００６８】
上記構成において、図３に示す手乾燥装置の動作を説明する。使用者が本体１の手挿入空間２Ａに手を挿入すると、第１の検知手段３である赤外線ＬＥＤから出ている信号が手によって塞がれて受光ＩＣに届かなくなると、制御手段６は、手が侵入したことを認識し、送風手段４のファン駆動回路へ動作信号を送り、送風手段４のファンモータが動作することによって、第１の吹き出し部２であるノズルから風が吹出し、手を乾燥させる。次に、手を十分に乾燥した後で、使用者が手の消毒が必要であると判断した場合は、手の挿入をさらに奥へ進めることで、第２の検知手段８によって、制御手段６は手が進入したと認識し、噴霧発生装置５に動作信号を送る。この動作信号により、噴霧発生装置５であるポンプに動作信号が送られ、ポンプが動作する。ポンプが輸送した消毒液４Ａは、輸送パイプを通って、消毒液噴霧口５Ａから、手挿入空間２Ａ内に挿入された手に吹き付けられる。
【００６９】
このように、噴霧発生装置５は、送風手段４が動作した後でしか動作しない。従って、消毒液４Ａが単独で噴霧されることがない。また、第１の吹き出し部２から吹き出される風を高速にすることにより、吹き出した風の膜が形成され、第１の吹き出し部２の下方に設けられている噴霧発生装置５から噴霧される消毒液４Ａは、この風の膜によりさえぎられ、本体から飛び出すことができなくなる。
【００７０】
また、十分に乾燥した後で、使用者が手の消毒を必要と判断した場合は、手の挿入をさらに奥へ進めることで、手の消毒を行うことができ、また使用者が手の消毒が必要でないと判断した場合は、手の挿入をさらに奥へ進めることなく第２の検知手段８の手前でとどめることで、消毒液４Ａを噴霧しないでおくことができる。
【００７１】
次に、停止時の動作について説明する。本体１の手挿入空間２Ａに挿入した手を第１の検知手段３が検知し、送風手段４が動作しており、さらに第２の検知手段８で手を検知し、噴霧発生装置５が動作している状態で、本体１の手挿入空間２Ａから手が引き出され、第２の検知手段８で、手の挿入が検知されなくなると、制御手段６は手が手挿入空間２Ａの奥までは挿入されていないことを認識し、噴霧発生装置５を停止する。さらに、第１の検知手段３で手を検知しなくなると、制御手段６は、送風手段４の動作を停止させ、第１の吹き出し部２から送り出される風を停止する。つまり、送風手段４から送り出される風が停止する前に、消毒液４Ａの噴霧が停止するので、消毒液４Ａが本体より飛び出すことをなくすことができる。
【００７２】
（実施の形態４）
次に、本発明の実施の形態４について図面を参照しながら説明する。なお、実施の形態１〜３と同一のものは同一番号を付し、その詳細な説明を省略する。
【００７３】
図４に示すように、手挿入空間２Ａ内の消毒液噴霧口５Ａの下方に送風手段４から手に風をあてる第２の吹き出し部９を設けている。
【００７４】
また、第２の吹き出し部９はすでに実施の形態１で説明している第１の吹き出し部２と同様に吹き出し部として開口部を絞って風速をあげるノズルなどを使用する。
【００７５】
上記構成において、図４に示す手乾燥装置の動作を説明する。使用者が本体１の手挿入空間２Ａに手を挿入すると、第１の検知手段３からの信号によって、制御手段６は、手が侵入したことを認識し、送風手段４のファン駆動回路へ動作信号を送り、送風手段４のファンモータが動作することによって、第１の吹き出し部２であるノズルおよび第２の吹き出し部９から風が吹き出し、手を乾燥する。このようにして、一定時間送風手段４により、第１の吹き出し部２および第２の吹き出し部９から風を吹き出させ、手を乾燥させた後、第２の吹き出し部９から吹き出す風のみを停止した後で、制御手段６から、噴霧発生装置５に動作信号が送られる。この動作信号により、噴霧発生装置５であるポンプに動作信号が送られることになり、ポンプが動作する。ポンプが輸送した消毒液４Ａは、輸送パイプを通って、消毒液噴霧口５Ａから、手挿入空間２Ａ内に挿入された手に吹き付けられる。この噴霧発生装置５は一定時間動作させた後、停止する。噴霧発生装置５を停止させた後で、再度、送風手段４により、第２の吹き出し部９であるノズルから風を吹き出させ、消毒後の手を乾燥する。
【００７６】
次に、停止時の動作について説明する。本体１の手挿入空間２Ａに挿入した手を第１の検知手段３が検知し、送風手段４により第１の吹き出し部２から風が吹き出しており、さらに噴霧発生装置５が動作している状態で、本体１の手挿入空間２Ａから手が引き出され、第１の検知手段３で、手の挿入が検知されなくなると、制御手段６は手が挿入されていないことを認識し、まず噴霧発生装置５を停止させる。続いて、送風手段４の動作を停止させ、第１の吹き出し部２から送り出される風を停止する。つまり、送風手段から送り出される風が停止する前に、消毒液４Ａの噴霧が停止するので、消毒液４Ａが本体より飛び出すことをなくすことができる。
【００７７】
以上により、消毒液４Ａが本体より飛び出すことをなくすことができ、また本体に挿入した手を動かすことなく、手の消毒および消毒後の乾燥を行うことができる。
【００７８】
（実施の形態５）
次に、本発明の実施の形態５について図面を参照しながら説明する。なお、実施の形態１〜４と同一のものは同一番号を付し、その詳細な説明を省略する。
【００７９】
図５に示すように、手挿入空間２Ａ内の消毒液噴霧口５Ａの下方に挿入された手を検知する第３の検知手段１０を備え、本体１の上面に手を検知したことを表示する表示部１１を設けている。
【００８０】
上記構成において、図５に示す手乾燥装置の動作を説明する。使用者が本体１の手挿入空間２Ａに手を挿入すると、第１の検知手段３からの信号によって、制御手段６は、手が侵入したことを認識し、送風手段４のファン駆動回路へ動作信号を送り、送風手段４のファンモータが動作することによって、第１の吹き出し部２であるノズルおよび第２の吹き出し部９から風を吹き出し、手を乾燥する。次に、上記の手挿入空間２Ａに挿入した手がさらに手挿入空間２Ａの奥まで進み、第３の検知手段１０によって検知されると、検知信号が制御手段６に入力され、制御手段６から表示部１１、例えばＬＥＤなどに信号が送られ、ＬＥＤが点灯する。また、第３の検知手段１０によって手を検知すると、制御手段６は、第２の吹き出し部９から吹き出す風のみを停止した後で、すなわち第１の吹き出し部２から風を吹き出す状態のみを継続させて、噴霧発生装置５に動作信号を送る。この動作信号により、噴霧発生装置５であるポンプに動作信号が送られることになり、ポンプが動作する。ポンプが輸送した消毒液４Ａは、輸送パイプを通って、消毒液噴霧口５Ａから、手挿入空間２Ａ内に挿入された手に吹き付けられる。このとき、表示部１１、例えばＬＥＤなどに動作信号を送り、ＬＥＤを点滅させことで、使用者が消毒液４Ａの噴霧を視覚により、確認することができる。この噴霧発生装置５は一定時間動作させた後、停止する。噴霧発生装置５を停止させた後で、再度、送風手段４により、第２の吹き出し部９であるノズルから風を吹き出させ、消毒後の手を乾燥する。
【００８１】
従って、使用者が手の消毒を必要と判断した場合、表示部１１が表示するまで手挿入空間２Ａの奥へ手を挿入した場合のみ、手の消毒を行なうことができ、表示部１１を確認することで、手が消毒されることを確実に確認することができる。また使用者が手の消毒が必要でないと判断した場合は、表示部１１が表示しない程度に手挿入空間２Ａへ手を挿入することで、消毒液４Ａを噴霧しないでおくことができ、手の乾燥のみを行なうことができる。
【００８２】
さらに、制御手段６は、送風手段の風量を調整する風量制御手段を設けた構成とすることもできる。以下その動作を説明すると、上記のように、噴霧発生装置５が動作した後で、第２の吹き出し部９から風が送り出される前に、第３の検知手段１０によって、手が検知されなくなると、第１の吹き出し部２から送り出される風を強くさせる。従って、第２の吹き出し部９からの風を手に当てることがなくても、第１の吹き出し部２から送り出される強い風を当てることで、消毒後の乾燥を十分に行うことができる。
【００８３】
（実施の形態６）
次に、本発明の実施の形態６について図面を参照しながら説明する。なお、実施の形態１と同一のものは同一番号を付し、その詳細な説明を省略する。
【００８４】
図６に示すように、噴霧発生装置５の消毒液４Ａを市販の消毒液４Ａを取り付けられる構成としたものである。例えば、市販の消毒液のケースごと、本発明の手乾燥装置本体に設置することができるようにする。また、消毒液のみ特定のケースに移し変え、設置することができるようにする。このようにすることで、容易に消毒液４Ａの交換ができ、使用効率を上げることができる。
【産業上の利用可能性】
【００８５】
本発明の手検知乾燥装置は、濡れた手を乾燥させるためだけの装置でなく、消毒をする機能を設けることで使用用途が広がり、衛生関係や医療関係の業務に携わる人の手を容易に、消毒することが可能となる。
【符号の説明】
【００８６】
１    本体
２    第１の吹き出し部
２Ａ  手挿入空間
３    第１の検知手段
４    送風手段
４Ａ  消毒液
５    噴霧発生装置
５Ａ  消毒液噴霧口
６    制御手段
７    信号入力手段
８    第２の検知手段
９    第２の吹き出し部
１０  第３の検知手段
１１  表示部
【図１】
2011083354.tif 000003
【図２】
2011083354.tif 000004
【図３】
2011083354.tif 000005
【図４】
2011083354.tif 000006
【図５】
2011083354.tif 000007
【図６】
2011083354.tif 000008
【図７】
2011083354.tif 000009